(57)【要約】【課題】原子力発電所などから発生する固体の低レベル放射性廃棄物を容易に収納し、焼却して容積を減らすまでの間、放射線洩れを起こすことなく安全に保管することができる低レベル放射性廃棄物コンテナバッグを提供する。【解決手段】プラスチック引布からなり、略正方形の蓋部、筒状の側面部及び略正方形の底面部を有し、側面部が底面部の周縁において底面部に融着されてなる低レベル放射性廃棄物コンテナバッグであって、プラスチック引布がポリエステル織物を基布とするポリウレタン引布であり、底面部の四隅が丸みを有し、底面部の略全面に該ポリウレタン引布が積層融着され、側面部の下方の底面部と接する部分に該ポリウレタン引布が積層融着されてなることを特徴とする低レベル放射性廃棄物コンテナバッグ。【選択図】図１
2008170174.tif 000002
【特許請求の範囲】
【請求項１】
プラスチック引布からなり、略正方形の蓋部、筒状の側面部及び略正方形の底面部を有し、側面部が底面部の周縁において底面部に融着されてなる低レベル放射性廃棄物コンテナバッグであって、プラスチック引布がポリエステル織物を基布とするポリウレタン引布であり、底面部の四隅が丸みを有し、底面部の略全面に該ポリウレタン引布が積層融着され、側面部の下方の底面部と接する部分に該ポリウレタン引布が積層融着されてなることを特徴とする低レベル放射性廃棄物コンテナバッグ。
【請求項２】
蓋部が、略正方形の略三辺を周回するプラスチック製のエレメントを有するスライドファスナーにより開閉可能に側面部に取り付けられてなる請求項１記載の低レベル放射性廃棄物コンテナバッグ。
【請求項３】
筒状の側面部に、側面部を周回する帯状のポリウレタン引布からなる膨らみ防止シートが融着されてなる請求項１記載の低レベル放射性廃棄物コンテナバッグ。
【発明の詳細な説明】
【技術分野】
【０００１】
本発明は、低レベル放射性廃棄物コンテナバッグに関する。さらに詳しくは、本発明は、原子力発電所などから発生する固体の低レベル放射性廃棄物を容易に収納し、焼却して容積を減らすまでの間、放射線洩れを起こすことなく安全に保管することができる低レベル放射性廃棄物コンテナバッグに関する。
【背景技術】
【０００２】
原子力発電所では、運転や定期検査などにともなって放射性レベルの低い低レベル放射性廃棄物が発生する。固体の低レベル放射性廃棄物としては、例えば、使用済みの作業衣、手袋、ペーパータオルなどがある。研究機関などからも、例えば、トレーサーとして用いる放射性同位元素に由来する低レベル放射性廃棄物が発生する。これらの低レベル放射性廃棄物は、焼却により容積を減らしたのち、セメントなどで固形化してドラム缶に詰められ、日本原燃(株)の低レベル放射性廃棄物埋設センターに運ばれ、コンクリートピットに埋設処分される。
低レベル放射性廃棄物は、放射性レベルは低いが大量に発生し、しかも原子力発電所内の各所で発生するので、その収集と保管は容易ではない。このために、低レベル放射性廃棄物を効率的に処理するための手段が検討されている。
例えば、低レベル放射性廃棄物の嵩を低くして容積を少なくし、カートンボックス内に収納される量を多くして、カートンボックスの個数を減少するとともに、カートンボックスの一時保管場所を減少することができる低レベル放射性廃棄物の処理方法として、低レベル放射性廃棄物を収納した有底筒状のカートリッジに薄板状のボードを載せて、圧縮処理装置にてカートリッジ内の低レベル放射性廃棄物をボードとともに押圧し、ボードにより低レベル放射性廃棄物の圧縮状態を維持させたのち、低レベル放射性廃棄物の収納と、ボードの載置と、圧縮処理装置による押圧を順次繰り返す低レベル放射性廃棄物の処理方法が提案されている（特許文献１）。図２は、この方法に用いられるカートリッジの断面図(ａ)及び圧縮処理装置の側面図(ｂ)である。カートリッジ１０に低レベル放射性廃棄物１１が収納され、その上に薄板状のボード１２が載せられ、圧縮処理装置１３において加圧板１４により低レベル放射性廃棄物がボードとともに押圧される。図２(ａ)に示す態様においては、低レベル放射性廃棄物の収納と、ボードの載置と、圧縮処理装置による押圧が４回繰り返されている。
しかし、設置し得る圧縮処理装置の数には限りがあり、低レベル放射性廃棄物はいたるところで発生するので、低レベル放射性廃棄物の発生現場と圧縮処理装置の間を、低レベル放射性廃棄物を収納したカートリッジを往復させるという煩わしさがある。また、カートリッジの往復中に、低レベル放射性廃棄物の一部が飛散するおそれもある。
【特許文献１】特開２０００−６５９９０号公報
【発明の開示】
【発明が解決しようとする課題】
【０００３】
本発明は、原子力発電所などから発生する固体の低レベル放射性廃棄物を容易に収納し、焼却して容積を減らすまでの間、放射線洩れを起こすことなく安全に保管することができる低レベル放射性廃棄物コンテナバッグを提供することを目的としてなされたものである。
【課題を解決するための手段】
【０００４】
本発明者は、上記の課題を解決すべく鋭意研究を重ねた結果、ポリエステル織物を基布とするポリウレタン引布からなり、略正方形の蓋部、筒状の側面部及び略正方形の底面部を有し、側面部が底面部の周縁において底面部に融着され、底面部の四隅が丸みを有し、底面部の略全面に該ポリウレタン引布が積層融着され、側面部の下方の底面部と接する部分に該ポリウレタン引布が積層融着されてなるコンテナバッグは、摩耗による穴あきや破れが発生せず、接着部からの破損も生じないことを見いだし、この知見に基づいて本発明を完成するに至った。
すなわち、本発明は、
（１）プラスチック引布からなり、略正方形の蓋部、筒状の側面部及び略正方形の底面部を有し、側面部が底面部の周縁において底面部に融着されてなる低レベル放射性廃棄物コンテナバッグであって、プラスチック引布がポリエステル織物を基布とするポリウレタン引布であり、底面部の四隅が丸みを有し、底面部の略全面に該ポリウレタン引布が積層融着され、側面部の下方の底面部と接する部分に該ポリウレタン引布が積層融着されてなることを特徴とする低レベル放射性廃棄物コンテナバッグ、
（２）蓋部が、略正方形の略三辺を周回するプラスチック製のエレメントを有するスライドファスナーにより開閉可能に側面部に取り付けられてなる(１)記載の低レベル放射性廃棄物コンテナバッグ、及び、
（３）筒状の側面部に、側面部を周回する帯状のポリウレタン引布からなる膨らみ防止シートが融着されてなる(１)記載の低レベル放射性廃棄物コンテナバッグ、
を提供するものである。
【発明の効果】
【０００５】
本発明の低レベル放射性廃棄物コンテナバッグは、強度が大きく、摩耗による穴あきや破れが発生せず、接着部からの破損も生じないので、低レベル放射性廃棄物を収納、保管するコンテナバッグとして好適に用いることができる。蓋部を、スライドファスナーを用いて開閉可能に側面部に取り付けることにより、低レベル放射性廃棄物をコンテナバッグに入れたのち、直ちに蓋部を閉じて、低レベル放射性廃棄物の飛散を防止することができる。スライドファスナーのエレメントをプラスチック製とすることにより、コンテナバッグが低レベル放射性廃棄物で満杯となったとき、コンテナバッグのまま焼却することができるので、低レベル放射性廃棄物に触れる作業を減らし、安全かつ容易に焼却して容積を減少することができる。本発明の低レベル放射性廃棄物コンテナバッグは、筒状の側面部を周回する膨らみ防止シートを設けることにより、型崩れすることなく、安定して取り扱うことができる。
【発明を実施するための最良の形態】
【０００６】
本発明の低レベル放射性廃棄物コンテナバッグは、プラスチック引布からなり、略正方形の蓋部、筒状の側面部及び略正方形の底面部を有し、側面部が底面部の周縁において底面部に融着されてなるコンテナバッグであって、プラスチック引布がポリエステル織物を基布とするポリウレタン引布であり、底面部の四隅が丸みを有し、底面部の略全面に該ポリウレタン引布が積層融着され、側面部の下方の底面部と接する部分に該ポリウレタン引布が積層融着されてなる低レベル放射性廃棄物コンテナバッグである。
図１は、本発明の低レベル放射性廃棄物コンテナバッグの一態様の前面図(ａ)、側面図(ｂ)、後面図(ｃ)及び底面図(ｄ)である。本態様の低レベル放射性廃棄物コンテナバッグは、略正方形の蓋部１、筒状の側面部２及び略正方形の底面部３からなり、側面部の下端が内側に折り込まれ、底面部の周縁において底面部と融着されている。
本発明の低レベル放射性廃棄物コンテナバッグは、ポリエステル織物を基布とするポリウレタン引布からなる。ポリウレタン引布は融着が可能なので、接着剤を使用しなければならないゴム引布に比べて、少ない工数で容易にコンテナバッグを製造することができる。また、ポリエステル織物を基布とするポリウレタン引布は、エチレン−酢酸ビニル共重合体引布と比べて耐摩耗性と融着性が良好なので、コンテナバッグに摩耗による穴あきや破れが発生しにくく、製品寿命が長く、コンテナバッグから低レベル放射性廃棄物が洩れ出して飛散するおそれがない。本発明に用いるポリウレタン引布のポリウレタンの材質に特に制限はないが、ポリエステルポリオールとトリレンジイソシアネート又はジフェニルメタンジイソシアネートとから合成される熱可塑性ポリウレタンは、強度が大きいので、好適に用いることができる。
【０００７】
本発明の低レベル放射性廃棄物コンテナバッグの寸法に特に制限はないが、略正方形の一辺が４００〜６００ｍｍであることが好ましく、高さが６００〜８００ｍｍであることが好ましい。略正方形の一辺が４００ｍｍ未満であり、高さが６００ｍｍ未満であると、コンテナバッグの容量が小さく、低レベル放射性廃棄物を効率的に処理することが困難となるおそれがある。略正方形の一辺が６００ｍｍを超え、高さが８００ｍｍを超えると、手軽に運搬し、焼却することが困難となるおそれがある。
本発明の低レベル放射性廃棄物コンテナバッグは、図１(ｄ)に示すように、底面部の四隅が丸み４を有する。底面部の四隅に丸みを設けることにより、底面部の四隅における摩耗を減少して、破損の発生を防止することができる。底面部の四隅の丸みの曲率半径に特に制限はないが、２０〜１５０ｍｍであることが好ましく、４０〜１００ｍｍであることがより好ましい。底面部の四隅の丸みの曲率半径が２０ｍｍ未満であると、摩耗減少効果が十分に発現しないおそれがある。底面部の四隅の丸みの曲率半径が１５０ｍｍを超えると、コンテナバッグの形状が不安定になるおそれがある。
本発明の低レベル放射性廃棄物コンテナバッグは、底面部の略全面にポリエステル織物を基布とするポリウレタン引布が積層融着され、側面部の下方の底面部と接する部分にポリエステル織物を基布とするポリウレタン引布が積層融着されている。図１(ｄ)に示すように、底面部の略全面にポリウレタン引布からなる底面部補強引布５が積層融着され、側面部の下方の底面部と接する部分に側面部下方補強引布６が積層融着されている。底面部補強引布及び側面部下方補強引布を積層融着することにより、底面部及びその近傍における摩耗を減少して、破損の発生を防止することができる。
【０００８】
本発明の低レベル放射性廃棄物コンテナバッグは、蓋部が、略正方形の略三辺を周回するプラスチック製のエレメントを有するスライドファスナーにより開閉可能に側面部に取り付けられてなることが好ましい。図１に示す態様の低レベル放射性廃棄物コンテナバッグにおいて、蓋部１が、前面、両側面及び後面の端部を周回するスライドファスナー７により側面部２に取り付けられている。低レベル放射性廃棄物が発生したとき、スライドファスナーを移動して蓋部を開き、コンテナバッグ中に収納して直ちに蓋部を閉じ、スライドファスナーを移動して蓋部を閉鎖することができる。このために、低レベル放射性廃棄物を密閉して安全に保管することができる。
本発明の低レベル放射性廃棄物コンテナバッグに用いるスライドファスナーは、エレメントがプラスチック製であることが好ましい。プラスチック製のエレメントを有するスライドファスナーを用いることにより、コンテナバッグが低レベル放射性廃棄物で満杯となったとき、コンテナバッグのまま焼却することができる。そのために、低レベル放射性廃棄物に触れる作業を減らし、安全かつ容易に焼却して容積を減少することができる。
【０００９】
本発明の低レベル放射性廃棄物コンテナバッグは、筒状の側面部に、側面部を周回する帯状のポリウレタン引布からなる膨らみ防止シートが融着されてなることが好ましい。図１に示す態様の低レベル放射性廃棄物コンテナバッグにおいては、筒状の側面部に、側面部を周回する帯状のポリウレタン引布からなる２本の膨らみ防止シート８が設けられている。筒状の側面部に膨らみ防止シートを設けることにより、コンテナバッグが低レベル放射性廃棄物で満杯になっても側面部が膨らんでコンテナバッグが型崩れすることなく、良好な外観を保つとともに、取り扱いが容易になる。
本発明の低レベル放射性廃棄物コンテナバッグは、吊り手を設けることができる。図１に示す態様の低レベル放射性廃棄物コンテナバッグにおいては、膨らみ防止シートの上に合計８本の吊り手９が設けられている。吊り手を設けることにより、低レベル放射性廃棄物が収納されたコンテナバッグの運搬、移動が容易になる。
ポリエステル織物を基布とするポリウレタン引布は、エチレン−酢酸ビニル共重合体引布に比べて耐摩耗性が約２倍あり、摩耗に強い低レベル放射性廃棄物コンテナバッグを得ることができる。ポリエステル織物を基布とするポリウレタン引布は、エチレン−酢酸ビニル共重合体引布に比べて融着部の接着強度が約２.５倍あるために、融着部からの破損のおそれがない丈夫な低レベル放射性廃棄物コンテナバッグを得ることができる。
【実施例】
【００１０】
以下に、実施例を挙げて本発明をさらに詳細に説明するが、本発明はこれらの実施例によりなんら限定されるものではない。
実施例１
図１に示す態様の低レベル放射性廃棄物コンテナバッグを作製した。
ブチレンアジペートポリオール［日本ポリウレタン工業(株)、ニッポラン(登録商標)４００９］とジフェニルメタンジイソシアネート［日本ポリウレタン工業(株)、ＭＤＩ］の反応により生成するポリウレタンを、目付３００ｇ／ｍ2のポリエステル平織物の両面にコーティングし、厚さ０.５〜０.６ｍｍのポリウレタン引布を作製した。
このポリウレタン引布から、一辺が５００ｍｍで四隅に曲率半径６０ｍｍの丸みを有する略正方形の底面部材料と、一辺が４６０ｍｍで四隅に曲率半径４０ｍｍの丸みを有する底面部補強材を切り出し、両者を積層融着して図１(ｄ)に示す材料とした。
ポリウレタン引布から、６８０ｍｍ×１,９２７ｍｍの長方形の側面部材料と、６００ｍｍ×５００ｍｍの長方形の蓋部材料が連続した形状の材料を切り出した。さらに、ポリウレタン引布から、５０ｍｍ×１,９２７ｍｍの側面部下方補強引布を切り出し、側面部材料の下方に融着代３０ｍｍを残して側面部材料と積層融着した。
ポリウレタン引布から１００ｍｍ×１,９２７ｍｍの膨らみ防止シート２枚を切り出し、厚さ１.５ｍｍ、５０ｍｍ×４２０ｍｍのポリプロピレンシート８枚を縫製により縫い付け、膨らみ防止シートの中心線が底面部から２００ｍｍと４５０ｍｍの位置になるように積層融着した。次いで、側面部材料の６８０ｍｍの二辺を融着代３０ｍｍで融着して筒状とし、下方の融着代３０ｍｍを内側に折り込んで底面部材料の周縁において融着した。
ポリウレタン引布から、８０ｍｍ×５６０ｍｍの蓋部側面材料２枚を切り出した。６００ｍｍ×５００ｍｍの長方形の蓋部材料を、後面において側面部材料と連続する後面の高さ５０ｍｍ、天面が一辺５００ｍｍの略正方形、前面の高さ５０ｍｍの形状に折り曲げ、蓋部側面材料を融着して高さ５０ｍｍで一辺５００ｍｍの略正方形の蓋部を作製した。蓋部と側面部に樹脂ファスナー［ＹＫＫ(株)、６５ＥＹ］を取り付けて、低レベル放射性廃棄物コンテナバッグを完成した。
得られた低レベル放射性廃棄物コンテナバッグの蓋部の開閉を繰り返しながら、ウエスを収納した。コンテナバッグは取り扱いやすく、蓋部の開閉は円滑であり、ウエスで満杯になったとき、コンテナバッグは略直方体の形状を保っていた。ウエスで満杯になったコンテナバッグを、一般ゴミ焼却炉に投入して焼却した。コンテナバッグはウエスとともに燃え尽き、他の一般ゴミの焼却にも影響はなかった。この結果から、本発明の低レベル放射性廃棄物コンテナバッグは、低レベル放射性廃棄物の処理においても支障なく使用し得ることが予測できる。
【産業上の利用可能性】
【００１１】
本発明の低レベル放射性廃棄物コンテナバッグは、強度が大きく、摩耗による穴あきや破れが発生せず、接着部からの破損も生じないので、低レベル放射性廃棄物を収納、保管するコンテナバッグとして好適に用いることができる。蓋部を、スライドファスナーを用いて開閉可能に側面部に取り付けることにより、低レベル放射性廃棄物をコンテナバッグに入れたのち、直ちに蓋部を閉じて、低レベル放射性廃棄物の飛散を防止することができる。スライドファスナーのエレメントをプラスチック製とすることにより、コンテナバッグが低レベル放射性廃棄物で満杯となったとき、コンテナバッグのまま焼却することができるので、低レベル放射性廃棄物に触れる作業を減らし、安全かつ容易に焼却して容積を減少することができる。本発明の低レベル放射性廃棄物コンテナバッグは、筒状の側面部を周回する膨らみ防止シートを設けることにより、型崩れすることなく、安定して取り扱うことができる。
【図面の簡単な説明】
【００１２】
【図１】本発明の低レベル放射性廃棄物コンテナバッグの一態様の前面図、側面図、後面図及び底面図である。
【図２】従来の低レベル放射性廃棄物の処理方法の一例の説明図である。
【符号の説明】
【００１３】
１  蓋部
２  側面部
３  底面部
４  丸み
５  底面部補強引布
６  側面部下方補強引布
７  スライドファスナー
８  膨らみ防止シート
９  吊り手
１０  カートリッジ
１１  低レベル放射性廃棄物
１２  ボード
１３  圧縮処理装置
１４  加圧板
【図１】
2008170174.tif 000003
【図２】
2008170174.tif 000004